(57)【要約】【課題】本発明は、廃棄物の処理時において重金属などの有害物の発生を抑制することができる廃棄物処理器および廃棄物処理方法を提供することを課題とする。【解決手段】廃棄物処理器１は、鉄板で形成された廃棄物収容容器１１と、廃棄物収容容器１１内に大気を導入するバルブ１２および磁石ケース１３と、廃棄物収容容器１１への大気の導入量を調整するバルブ１２と、廃棄物収容容器１１内から外部にガスを排出する排気管１４と、廃棄物収容容器１１の周囲に配設された磁石１８と、廃棄物収容容器１１内に熱を与える熱供給口１１ｄと、を備え、磁石１８により廃棄物収容容器１１内に磁場を形成して、廃棄物収容容器１１内の大気を対流させることで廃棄物を処理することを特徴とする。【選択図】      図１
2007296465.tif 000002
【特許請求の範囲】
【請求項１】
鉄板で形成された廃棄物処理室と、
前記廃棄物処理室内に大気を導入する吸気通路と、
前記吸気通路から前記廃棄物処理室への大気の導入量を調整するバルブと、
前記廃棄物処理室内から外部にガスを排出する排気通路と、
前記廃棄物処理室の周囲に配設された磁石と、
前記廃棄物処理室内に始動用の熱を与える熱供給口と、を備え、
前記磁石により前記廃棄物処理室内に磁場を形成して、前記廃棄物処理室内の大気を対流させることで廃棄物を処理することを特徴とする廃棄物処理器。
【請求項２】
請求項１に記載の廃棄物処理器を用いた廃棄物処理方法であって、
前記バルブの開度を前記廃棄物に応じて設定する工程と、
前記廃棄物処理室内に前記廃棄物を投入する工程と、
前記熱供給口に始動用の熱を与える工程と、
前記熱供給口を塞ぐ工程と、を備えることを特徴とする廃棄物処理方法。
【発明の詳細な説明】
【技術分野】
【０００１】
本発明は、廃棄物処理器および廃棄物処理方法に関する。
【背景技術】
【０００２】
ゴム類、繊維クズ、紙類、貝殻、ヘドロ、病原菌の含まれた動物の死体、塩化ビニール、全てのプラスチック類などの廃棄物を処分する方法としては、焼き捨て処理が一般的である。
【特許文献１】特開２０００−３１０６９７号公報
【発明の開示】
【発明が解決しようとする課題】
【０００３】
しかしながら、焼き捨て処理では、重金属が発生するといった問題がある。この重金属は、ダイオキシンとともに環境汚染に対して大きな引き金となるため、処理方法の選択が必要であるが、廃棄物の混合処理、例えばバイオ菌の混合処理ですら問題化されている。また、焼き捨て処理などの従来の処理では、廃棄物を完全に燃焼させるために、助燃用の燃料が必要であった。
【０００４】
そこで、本発明は、上記背景事情に鑑みてなされたものであり、廃棄物処理に伴う有害物の発生を抑制することができる廃棄物処理器および廃棄物処理方法を提供することを課題とする。
【課題を解決するための手段】
【０００５】
前記課題を解決する本発明に係る廃棄物処理器は、鉄板で形成された廃棄物処理室と、前記廃棄物処理室内に大気を導入する吸気通路と、前記吸気通路から前記廃棄物処理室への大気の導入量を調整するバルブと、前記廃棄物処理室内から外部にガスを排出する排気通路と、前記廃棄物処理室の周囲に配設された磁石と、前記廃棄物処理室内に始動用の熱を与える熱供給口と、を備え、前記磁石により前記廃棄物処理室内に磁場を形成して、前記廃棄物処理室内の大気を対流させることで廃棄物を処理することを特徴とする。
【０００６】
なお、この廃棄物処理器を用いた廃棄物処理方法は、前記バルブの開度を前記廃棄物に応じて設定する工程と、前記廃棄物処理室内に前記廃棄物を投入する工程と、前記熱供給口に始動用の熱を与える工程と、前記熱供給口を塞ぐ工程と、を備えることを特徴とする。
【０００７】
このような廃棄物処理器や廃棄物処理方法を利用すると、廃棄物処理室内に磁石によって磁場が形成され、そのような環境に熱供給口から熱をきっかけとして与えることで、廃棄物処理室内の大気がプラズマ状態となって対流して、この大気の対流によって有害物の発生が抑制されつつ廃棄物が処理されることが実験により確認された。
【発明の効果】
【０００８】
本発明によれば、助燃用の燃料を用いることなく廃棄物処理ができるとともに、廃棄物処理に伴う有害物の発生を抑制することができる。
【発明を実施するための最良の形態】
【０００９】
次に、本発明の実施形態について、適宜図面を参照しながら詳細に説明する。参照する図面において、図１は、本発明に係る廃棄物処理器の一実施形態を示す説明図である。
【００１０】
図１に示すように、廃棄物処理器１は、廃棄物収容容器（廃棄物処理室）１１と、この廃棄物収容容器１１に空気（大気）を導入するための複数のバルブ１２と、このバルブ１２の先端口に接合されて磁石１８を収容するための磁石ケース１３と、廃棄物収容容器１１内での廃棄物処理において発生するガスなどを排気するための排気管（排気通路）１４とを備えて構成されている。なお、本実施形態においては、バルブ１２および磁石ケース１３が、吸気通路を兼ねている。
【００１１】
廃棄物収容容器１１は、中空の直方体状に形成された鉄製の箱であり、その上壁１１ａには、廃棄物の投入口を開閉するための投入用扉１５が、排気管１４を挟んでスライド自在に二つ設けられている。また、廃棄物収容容器１１の正面または背面にあたる側壁１１ｂ（幅狭の壁）には、その下部に灰（処理済の廃棄物）を掻き出すための灰取出口１１ｃとこの灰取出口１１ｃを開閉する扉１６が設けられるとともに、その左右両側下部に廃棄物処理の初期においてわずかな熱を与えるための熱供給口１１ｄが形成されている。なお、この熱供給口１１ｄは、熱供給後に所定の蓋によって塞がれるようになっている。
また、この廃棄物収容容器１１の左右面にあたる側壁１１ｅには、バルブ１２を貫通して固定させるための孔が複数形成されるとともに、その内側（容器内）には、厚さの異なる二枚の鋼板（鉄の一例）が側壁１１ｅに対して厚いものから順に重ねて接合されている。なお、この二枚の鋼板には、バルブ１２に対応した複数の孔の他に、これらの孔よりも上部に複数の孔が形成されるようになっている。
そして、このように構成される廃棄物収容容器１１は、その側壁１１ｂ，１１ｅが上下に並んで配設される鋼製の三つの補強バンド１７によって補強されている。なお、これら三つの補強バンド１７のうち下側二つの補強バンド１７には、バルブ１２に対応した複数の孔が形成されている。また、図２に示すように、廃棄物収容容器１１の底壁１１ｆには、複数の石Ｓが敷き詰められており、これらの石Ｓの上には、鋼板１９が設けられている。
【００１２】
バルブ１２は、図３に示すように、ハンドル１２ａの操作により開度調整可能なバルブであり、廃棄物収容容器１１の左右の側壁１１ｅに対称に設けられている。なお、このバルブ１２としては、例えばボールバルブ、ゲートバルブ、蝶バルブ、グローブバルブ、チャッキバルブなどを採用すればよい。
【００１３】
磁石ケース１３は、略有底筒状のプラスチック（樹脂）製の容器であり、その底壁１３ａには、大気を吸引するための吸引孔１３ｂが形成されている。そして、この磁石ケース１３の内部には、約０．５Ｔ（テスラ）の磁束密度を持った磁石１８が設けられている。そして、このように廃棄物収容容器１１の左右の側壁１１ｅに複数配設された磁石１８によって、廃棄物収容容器１１内に所定の磁場が形成されるようになっている。なお、本実施形態では、磁石１８を利用するが、本発明はこれに限定されず、マイナスイオンを発生する鉱石であってもよい。
【００１４】
排気管１４は、廃棄物収容容器１１の上壁１１ａに接合されており、廃棄物収容容器１１内の廃棄物処理において発生したガスを逃がすようになっている。
【００１５】
次に、この廃棄物処理器１による廃棄物処理方法について説明する。
まず、バルブ１２の開度を廃棄物の種類に応じた開度に調整してから、投入用扉１５から廃棄物を廃棄物収容容器１１内に投入する。なお、このバルブ１２の開度は、熱量の高い廃棄物を処理する場合には小さくし、熱量の低い廃棄物を処理する場合には高くするのが望ましい。
【００１６】
次に、熱供給口１１ｄへドライヤーによって温風を送り込むか、ライターなどで熱供給口１１ｄ近傍を軽く炙ることによって、廃棄物収容容器１１内に熱を供給する。その後、この熱供給口１１ｄを蓋などによって塞いで廃棄物収容容器１１を略密閉状態とする。すると、この熱や、複数の磁石１８による磁場などによって容器内の大気がプラズマ状態となって対流し始める。これにより、廃棄物が反応し始め、その温度が上昇していくと、この温度上昇に伴って大気の対流がさらに促進される。以上のような現象を経ることによって、数時間後には、廃棄物が灰となる。なお、この灰には、有害物質が含まれないことは実験により確認されており、また、廃棄物処理中において廃棄物から有害なガスや煙なども発生しないことも実験により確認されている。
【００１７】
以上によれば、本実施形態において以下のような効果を得ることができる。
ドライヤーやライターの火などによって熱を少し与えるだけで、有害物の発生を抑制しながら廃棄物を処理することができることが確認された。すなわち、従来の焼却処理のような助燃用の燃料を用いる処理に比べ、燃料を不要とする分、エネルギ消費が大幅に削減されるので、その分コストを下げることができる。
【図面の簡単な説明】
【００１８】
【図１】本発明に係る廃棄物処理器の一実施形態を示す説明図である。
【図２】図１の点線Ａで囲った部分の断面図である。
【図３】図１の点線Ｂで囲った部分の断面図である。
【符号の説明】
【００１９】
１      廃棄物処理器
１１    廃棄物収容容器（廃棄物処理室）
１１ｄ  熱供給口
１２    バルブ（吸気通路）
１３    磁石ケース（吸気通路）
１３ｂ  吸引孔（吸気通路）
１４    排気管（排気通路）
１８    磁石
【図１】
2007296465.tif 000003
【図２】
2007296465.tif 000004
【図３】
2007296465.tif 000005